(57)【要約】【課題】  不必要なときには速やかに筆記部を没入させる。【解決手段】  被押圧片部５１を軸筒径内方向へ押し込む操作によって筆記部が突出するようにしたサイドノック式筆記具において、被押圧片部５１の内面側には、前方斜め径外方向へ傾く傾斜面と、該傾斜面よりも後方側に位置する仮係止部５４とが設けられ、係合部材４０には、前記傾斜面に摺接されて筆記部を突出させるまで前方へ押し動かされる被摺接面４１ａと、該被摺接面４１ａよりも後側で仮係止部５４に係脱可能な被係止部４４とが設けられ、仮係止部５４と被係止部４４とは、被押圧片部５１が軸筒径内方向へ押し込まれた際に軸筒軸方向へ当接し合い、被押圧片部５１が元の状態に復帰するのに伴って軸筒径外方向へ離脱するように形成されている。【選択図】  図１
2015089677.tif 000002
【特許請求の範囲】
【請求項１】
軸筒と、軸筒周壁の貫通孔に被押圧片部を挿通させて外部に露出した操作部材と、軸筒内で進退するように設けられたリフィールと、該リフィールに一体的に接続された係合部材と、これらリフィール及び係合部材を後方へ付勢する付勢部材とを備え、前記被押圧片部を軸筒径内方向へ押し込む操作によって筆記部が突出するようにしたサイドノック式筆記具において、
前記被押圧片部の内面側には、前方斜め径外方向へ傾く傾斜面と、該傾斜面よりも後方側に位置する仮係止部とが設けられ、
前記係合部材には、前記傾斜面に摺接されて筆記部を突出させるまで前方へ押し動かされる被摺接面と、該被摺接面よりも後側で前記仮係止部に係脱可能な被係止部とが設けられ、
前記仮係止部と前記被係止部とは、前記被押圧片部が軸筒径内方向へ押し込まれた際に軸筒軸方向へ当接し合い、前記被押圧片部が元の状態に復帰するのに伴って軸筒径外方向へ離脱するように形成されていることを特徴とするサイドノック式筆記具。
【請求項２】
前記仮係止部と前記被係止部とは、軸筒軸方向へ当接し合う当接面を、軸筒軸方向に対し略直交するように形成していることを特徴とする請求項１記載のサイドノック式筆記具。
【請求項３】
前記操作部材は、前記軸筒に対し所定量進退するように設けられるとともに、前記被押圧片部が軸筒径内方向へ押し込まれた状態で前進した際に軸筒内周面に係止されてこの係止状態が維持され、後退した際には前記係止状態を解除して元の状態に復帰するように形成されていることを特徴とする請求項１又は２記載のサイドノック式筆記具。
【請求項４】
前記操作部材は、前端側を自由端として前方へ延設された前記被押圧片部と、前記被押圧片部に対し軸筒径方向の反対側に間隔を置きながら前方へ延設された延設支持部と、これら被押圧片部と延設支持部とを後端側で接続する接続部とを一体に有し、
前記被押圧片部が軸筒径内方向へ押し込まれた状態で前進した際には、前記被押圧片部の前端部が前記貫通孔内で軸筒周壁の内側に挿入されるとともに、前記被押圧片部の後方の係止部が、前記被押圧片部と前記延設支持部の間の弾発力により軸筒径外方向へ移動して前記貫通孔の後端内縁に係止されるようにしたことを特徴とする請求項３記載のサイドノック式筆記具。
【請求項５】
前記リフィールは、前部側の繰出機構部が前進不能に係止された状態で、後部側の芯タンクが進退されることで鉛芯を繰出すシャープペンシル用リフィールであり、
前記係合部材は、前記シャープペンシル用リフィールの前記芯タンクに接続され、
前記操作部材は、前記係止状態からさらに所定量前進するように設けられ、この前進よって前記係合部材及び前記芯タンクを前記繰出機構部に相対し前進させることを特徴とする請求項３又は４記載のサイドノック式筆記具。
【発明の詳細な説明】
【技術分野】
【０００１】
本発明は、例えばサイドノック式ボールペンやサイドノック式シャープペンシル等、軸筒周壁の操作部材に対する押圧操作により筆記部を突出させたり繰り出したりするサイドノック式筆記具に関するものである。
【背景技術】
【０００２】
従来、この種の発明には、例えば特許文献１に記載されるもののように、筒状の外装本体（１）と、該外装本体（１）の周壁に揺動自在に支持された操作部材（押圧片９）と、該操作部材（押圧片９）の揺動支点となる軸（８）と、操作部材（押圧片９）を付勢する二つのねじりコイルバネ（１０）と、外装本体（１）内で進退可能であって後方へ付勢されたレフィール本体（２）と、該レフィール本体（２）と一体的にスライドする作用部材（１１）を備えたサイドノック式筆記具がある。
この従来技術によれば、操作部材（押圧片９）の前端側を押すと、該操作部材（押圧片９）が外装本体（１）内側へ揺動して作用部材（１１）の傾斜面（１２）に摺接し、作用部材（１１）及びレフィール本体（２）が前進して、レフィール本体（２）先端の筆記部を突出させるとともに、作用部材（１１）後端側のロック爪（１６）が外装本体（１）の周壁に掛止されて、前記突出状態が維持される。そして、この突出状態を解除する場合には、操作部材（押圧片９）の後端側を径内方向へ押せば、操作部材（押圧片９）の後端側がロック爪（１６）に当接して、ロック爪（１６）が外れて、作用部材（１１）及びレフィール本体（２）が後退し、前記筆記部が没入する。
【０００３】
しかしながら、上記従来技術では、筆記部が突出した状態のまま放置され意図せずに物等に筆記してしまったり、筆記部が突出した状態のまま衣類のポケットに収納して衣類をインクで汚してしまったり等するおそれがある。
【先行技術文献】
【特許文献】
【０００４】
【特許文献１】特開２００３−５４１８７号公報
【発明の概要】
【発明が解決しようとする課題】
【０００５】
本発明は上記従来事情に鑑みてなされたものであり、その課題とする処は、必要なときに筆記部を突出させることができるのは勿論のこと、不必要なときには速やかに筆記部を没入させることができるサイドノック式筆記具を提供することにある。
【課題を解決するための手段】
【０００６】
上記課題を解決するための一手段は、軸筒と、軸筒周壁の貫通孔に被押圧片部を挿通させて外部に露出した操作部材と、軸筒内で進退するように設けられたリフィールと、該リフィールに一体的に接続された係合部材と、これらリフィール及び係合部材を後方へ付勢する付勢部材とを備え、前記被押圧片部を軸筒径内方向へ押し込む操作によって筆記部が突出するようにしたサイドノック式筆記具において、前記被押圧片部の内面側には、前方斜め径外方向へ傾く傾斜面と、該傾斜面よりも後方側に位置する仮係止部とが設けられ、前記係合部材には、前記傾斜面に摺接されて筆記部を突出させるまで前方へ押し動かされる被摺接面と、該被摺接面よりも後側で前記仮係止部に係脱可能な被係止部とが設けられ、前記仮係止部と前記被係止部とは、前記被押圧片部が軸筒径内方向へ押し込まれた際に軸筒軸方向へ当接し合い、前記被押圧片部が元の状態に復帰するのに伴って軸筒径外方向へ離脱するように形成されていることを特徴とする。
【発明の効果】
【０００７】
本発明は、以上説明したように構成されているので、必要なときに筆記部を突出させることができるのは勿論のこと、不必要なときには速やかに筆記部を没入させることができる。
【図面の簡単な説明】
【０００８】
【図１】本発明に係るサイドノック式筆記具の一例を示す内部構造図である。なお、リフィールは、内部構造を省略して二点鎖線により示している。
【図２】(I)は図１の(I)-(I)線に沿う端面図であり、(II)は図１の(II)-(II)線に沿う端面図であり、(III)は図１の(III)-(III)線に沿う端面図である。なお、リフィールは、内部構造を省略して二点鎖線により示している。
【図３】(IV)は図１の(IV)-(IV)線に沿う端面図であり、(V)は図１の(V)-(V)線に沿う端面図であり、(VI)は図１の(VI)-(VI)線に沿う端面図である。なお、リフィールは、内部構造を省略して二点鎖線により示している。
【図４】(VII)は図１の(VII)-(VII)線に沿う端面図であり、(VIII)は図１の(VIII)-(VIII)線に沿う端面図である。なお、リフィールは、内部構造を省略して二点鎖線により示している。
【図５】（ａ）は、軸筒の一例を示す平面図であり、（ｂ）は、本図（ａ）の(I)-(I)線に沿う全断面図である。
【図６】（ａ）は、操作部材の一例を示す平面図であり、（ｂ）は、本図（ａ）の(I)-(I)線に沿う全断面図である。
【図７】（ａ）は、係合部材の一例を示す平面図であり、（ｂ）は、本図（ａ）の(I)-(I)線に沿う半断面図である。
【図８】同サイドノック式筆記具の前半部を全断面で示す動作説明図であり、（ａ）は筆記部が没入した状態、（ｂ）は操作部材の押圧操作により筆記部が突出した状態を示し、（ｃ）は押し込まれた操作部材を前進し係止させた状態を示している。なお、リフィールは、内部構造を省略して二点鎖線により示している。
【図９】（ａ）は押し込まれた操作部材を前進し係止させた状態を示し、（ｂ）は操作部材をさらに前進させて鉛芯を突出させた状態を示す。
【図１０】本発明に係るサイドノック式筆記具の一例を示す内部構造図であり、（ａ）は筆記部を没入させた状態を示し、（ｂ）は操作部材の押圧操作により筆記部が突出している状態を示す。なお、リフィールは、内部構造を省略して二点鎖線により示している。
【図１１】図１０のサイドノック式筆記具における操作部材を示し、（ａ）は平面図であり、（ｂ）は側面図である。
【図１２】図１０のサイドノック式筆記具における係合部材を示し、（ａ）は平面図であり、（ｂ）は本図（ａ）の(I)-(I)線に沿う半断面図である。
【発明を実施するための形態】
【０００９】
本実施の形態の第一の特徴は、軸筒と、軸筒周壁の貫通孔に被押圧片部を挿通させて外部に露出した操作部材と、軸筒内で進退するように設けられたリフィールと、該リフィールに一体的に接続された係合部材と、これらリフィール及び係合部材を後方へ付勢する付勢部材とを備え、前記被押圧片部を軸筒径内方向へ押し込む操作によって筆記部が突出するようにしたサイドノック式筆記具において、前記被押圧片部の内面側には、前方斜め径外方向へ傾く傾斜面と、該傾斜面よりも後方側に位置する仮係止部とが設けられ、前記係合部材には、前記傾斜面に摺接されて筆記部を突出させるまで前方へ押し動かされる被摺接面と、該被摺接面よりも後側で前記仮係止部に係脱可能な被係止部とが設けられ、前記仮係止部と前記被係止部とは、前記被押圧片部が軸筒径内方向へ押し込まれた際に軸筒軸方向へ当接し合い、前記被押圧片部が元の状態に復帰するのに伴って軸筒径外方向へ離脱するように形成されている。
この構成によれば、被押圧片部を軸筒径内方向へ押し込めば、被押圧片部の内面側の傾斜面が係合部材の被摺接面に摺接して、係合部材及びリフィールが前進し筆記部が突出するとともに、仮係止部と被係止部とが軸筒軸方向へ当接し合う。この状態は、被押圧片部に加わる比較的軽い押圧力、および仮係止部と被係止部との当接により保持される。
また、筆記部を没入させる際には、被押圧片部に対する押圧力を緩めれば、被押圧片部が係合部材に摺接されて元の状態に復帰し、これに伴って、仮係止部が被係止部から軸筒径外方向へ離脱する。
よって、筆記部の突出状態を、被押圧片部に対する軽い押圧力により保持でき、また、この押圧力を緩めれば筆記部を没入させることができ、ひいては、筆記する時だけ筆記部を突出させ、不使用時には筆記部を常に没入させることができる。
【００１０】
第二の特徴としては、前記仮係止部と前記被係止部とは、軸筒軸方向へ当接し合う当接面を、軸筒軸方向に対し略直交するように形成している。
この構成によれば、筆記部の突出状態を、被押圧片部に対するより軽い押圧力により保持することができる。
【００１１】
第三の特徴としては、前記操作部材は、前記軸筒に対し所定量進退するように設けられるとともに、前記被押圧片部が軸筒径内方向へ押し込まれた状態で前進した際に軸筒内周面に係止されてこの係止状態が維持され、後退した際には前記係止状態を解除して元の状態に復帰するように形成されている。
この構成によれば、被押圧片部を押し込んだ状態で前進させれば、操作部材が軸筒内周面に係止されて、筆記部の突出状態を維持することができる。また、操作部材を後退させれば、係止状態を解除して元の状態に復帰することができる。
【００１２】
第四の特徴としては、前記操作部材は、前端側を自由端として前方へ延設された前記被押圧片部と、前記被押圧片部に対し軸筒径方向の反対側に間隔を置きながら前方へ延設された延設支持部と、これら被押圧片部と延設支持部とを後端側で接続する接続部とを一体に有し、前記被押圧片部が軸筒径内方向へ押し込まれた状態で前進した際には、前記被押圧片部の前端部が前記貫通孔内で軸筒周壁の内側に挿入されるとともに、前記被押圧片部の後方の係止部が、前記被押圧片部と前記延設支持部の間の弾発力により軸筒径外方向へ移動して前記貫通孔の後端内縁に係止されるようにした。
この構成によれば、被押圧片部を押し込んだ状態で前進させれば、被押圧片部の前端部が前記貫通孔内で軸筒周壁の内側に挿入されるとともに、前記被押圧片部の後方の係止部が、前記被押圧片部と前記延設支持部の間の弾発力により軸筒径外方向へ移動して前記貫通孔の後端内縁に係止される。したがって、筆記部の突出状態を維持することができる。また、操作部材を後退させれば、係止状態を解除して元の状態に復帰することができる。
【００１３】
第五の特徴としては、前記リフィールは、前部側の繰出機構部が前進不能に係止された状態で、後部側の芯タンクが進退されることで鉛芯を繰出すシャープペンシル用リフィールであり、前記係合部材は、前記シャープペンシル用リフィールの前記芯タンクに接続され、前記操作部材は、前記係止状態からさらに所定量前進するように設けられ、この前進よって前記係合部材及び前記芯タンクを前記繰出機構部に相対し前進させる。
この構成によれば、操作部材の被押圧片部を押し込んで前進させた係止状態から、さらに操作部材を前進させれば、突出状態のシャープペンシル用リフィールの前端から鉛芯を繰出すことができる。
【実施例】
【００１４】
次に、上記特徴を有する好ましい実施例を、図面に基づいて詳細に説明する。
本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。
【００１５】
サイドノック式筆記具Ａは、図１に示すように、軸筒１０と、該軸筒１０の前端に接続された先口２０と、軸筒１０内で進退するように設けられたリフィール３０と、該リフィール３０に固定された係合部材４０と、軸筒１０の前側でリフィール３０を進退操作可能な操作部材５０と、リフィール３０及び係合部材４０を後方へ付勢する付勢部材６０と、軸筒１０の後端側に開閉可能に設けられたクリップ７０と、該クリップ７０を閉鎖方向へ弾発する弾発部材８０とを備える。
【００１６】
軸筒１０は、長尺筒状（図示例によえば長尺円筒状）に形成され、その前端側の開口部に先口２０を接続するとともに、後端側を閉鎖している。なお、軸筒１０の他例としては、前軸と後軸等の複数の筒体を接続してなる態様や、後端部に別体の尾栓を接続した態様、先口２０を一体に有する態様等とすることも可能である。
図示例の軸筒１０の周壁の前側と後側には、図５に示すように、操作部材５０を径方向へ貫通させるための操作部材用貫通孔１１と、クリップ７０を径方向へ貫通させるクリップ用貫通孔１２とが設けられる。
【００１７】
操作部材用貫通孔１１は、軸筒１０の周壁前側の把持部位を径方向へ貫通する矩形状の孔である（図５参照）。軸筒１０外周面において、操作部材用貫通孔１１の前半部側の周囲には、軸筒１０の周壁を部分的に凹曲状に凹ませた凹曲面部１１ａが設けられる。この凹曲面部１１ａは、後述する操作部材５０を押す指を軸筒径内方向へ沈み込ませて、操作部材５０に対する操作性を向上する。
【００１８】
クリップ用貫通孔１２は、軸筒１０の周壁後端寄りを径方向へ貫通する略矩形状の孔であり、図１に示すように、クリップ７０のクリップ支持部７２、開閉操作部７１ｂ及び弾発部材８０を軸筒１０内へ挿入する。
【００１９】
また、軸筒１０外周面の後部側には、クリップ本体７１の内面に対向する部分の全てを、他の部分よりも軸筒径内方向へ没入させたクリップ没入部１３が設けられる（図１及び図５参照）。
このクリップ没入部１３は、軸筒１０の円筒状の外周面輪郭（あるいは、軸筒１０外周面の前側の部分）よりも径内方向へ凹んでおり、前後方向へわたって略平坦に形成される。
そして、このクリップ没入部１３の軸筒径方向の深さは、図示例によれば、クリップ本体７１が、その厚みの半分以上を軸筒内側へ沈み込ませて表面を軸筒１０外周面輪郭から若干突出させるように、適宜に設定される（図１参照）。
このクリップ没入部１３は、クリップ本体７１を軸筒径内方向へ没入させて、該クリップ本体７１が軸筒１０の外周輪郭から突出する寸法を小さくしている。
【００２０】
また、軸筒１０外周面におけるクリップ没入部１３の前側には、傾斜面１４が設けられる（図１及び図５参照）。この傾斜面１４は、前方側からクリップ没入部１３面へ徐々に傾斜する面であり、クリップ没入部１３とクリップ本体７１との間に、紙や衣服のポケット等の被挟持物を挟む際に、該被挟持物をスムーズに導く。
【００２１】
また、軸筒１０内周面において、操作部材用貫通孔１１と径方向に対向する部分には、ガイド凸部１６ａ及びガイド凹部１６ｂが設けられる（図５及び図２〜図４参照）。
【００２２】
ガイド凸部１６ａは、クリップ幅方向（図２の左右方向）に間隔を置いて二つ設けられる（図２及び図３参照）。各ガイド凸部１６ａは、前後方向へ連続する略レール状の突起であり、少なくとも操作部材５０と接触する前後方向の範囲に設けられる。
二つのガイド凸部１６ａ，１６ａのクリップ幅方向の両側には、操作部材５０の延設支持部５２が嵌り合う（図３（IV）参照）。
【００２３】
ガイド凹部１６ｂは、前後方向へわたって連続する凹部であり、少なくとも係合部材４０と摺接する前後方向の範囲に設けられる。図示例のガイド凹部１６ｂは、操作部材用貫通孔１１の前後方向範囲においては、図２〜図３に示すように二つのガイド凸部１６ａ，１６ａの間に位置する。
このガイド凹部１６ｂには、後述する係合部材４０が嵌り合い前後方向へ案内される。
【００２４】
また、先口２０は、先窄み円錐筒状に形成され、軸筒１０の前端側に螺合接続され、リフィール３０の前端側を進退可能に挿通する。この先口２０内の段部には、付勢部材６０（圧縮コイルバネ）の前端部が受けられる。
【００２５】
また、リフィール３０は、前部側の繰出機構部３１が先口２０内の段部に前進不能に係止された状態で、後部側の芯タンク３２が進退されることで鉛芯を繰出すシャープペンシル用リフィールであり（図９参照）、芯タンク３２の後端部を係合部材４０に接続している。
繰出機構部３１は、複数の爪を放射状に配置したチャック、該チャックの周囲に嵌脱するチャックリング、チャック前方側で鉛芯を環状に緩く保持する芯ホルダー等を備え、前記チャックの進退動作により芯タンク３２から供給される鉛芯を送り前端の筆記部から繰り出す周知の機構であり、圧縮スプリングに弾発された状態で芯タンク３２に相対し進退するように接続される。
【００２６】
係合部材４０は、リフィール３０と一体的に進退可能な部位であり、図７に示すように、リフィール３０の前後方向の途中箇所を保持する保持部４１と、該保持部４１から後方へ延設された接続部４２と、該接続部４２の後端に接続されてリフィール３０の後端部に着脱可能に圧入固定される圧入部４３と、保持部４１よりも後側で後述する操作部材５０の仮係止部５４に当接される被係止部４４と、軸筒１０内周面のガイド凹部１６ｂに嵌り合う被ガイド部４５とを有し、可撓性を有する合成樹脂材料から一体に成型されている。なお、鉛芯の消耗に伴ってリフィール３０を交換する際には、この係合部材４０からリフィール３０が外される。
【００２７】
保持部４１は、リフィール３０を挿通するとともに、操作部材５０が軸筒径内方向へ撓んだ際に該操作部材５０の被押圧片部５１に摺接される部材である。この保持部４１は、図示例によれば、略円筒状に形成され、その後端側の外周部に、操作部材５０の内面に摺接されて前方へ押し動かされる被摺接面４１ａを有する。被摺接面４１ａは、後方斜め操作部材５０側へ突出し、操作部材５０の複数の摺接突起５１ｃ，５１ｃ（図６参照）を受けている。
【００２８】
接続部４２は、軸筒１０内周面における反リフィール３０側の部分に沿って後方へ延設された長尺状に形成され、その後端に圧入部４３を接続している（図７参照）。
【００２９】
圧入部４３は、リフィール３０の後端を圧入可能な形状であればよく、図示例によれば、略角筒状に形成され、その内面にリフィール３０を不動に保持している。
【００３０】
被係止部４４は、係合部材４０後端における被押圧片部５１側の部分から後方へ突出する長尺片状を呈し、その突端を軸筒径内方向へ凹む段状に形成してなる（図７（ｂ）参照）。この被係止部４４は、仮係止部５４に対する当接面を、軸筒軸方向に対し略直交するように形成している。
【００３１】
被ガイド部４５は、接続部４２及び圧入部４３における反操作部材５０側に、軸筒前後方向へわたって設けられた長尺矩形状の突起であり、軸筒１０内周面のガイド凹部１６ｂに、前後方向へ摺動可能に嵌り合っている（図２〜図４参照）。この被ガイド部４５は、係合部材４０及び該係合部材４０と一体的なリフィール３０の進退を案内する。
【００３２】
また、操作部材５０は、図６に示すように、前端側を自由端とする片持ち状に前方へ延設された被押圧片部５１と、被押圧片部５１に対し軸筒径方向の反対側（図１及び図６によれば下方側）に間隔を置きながら前方へ延設された延設支持部５２と、これら被押圧片部５１と延設支持部５２とをこれらの後端側で接続する接続部５３と、係合部材４０の被係止部４４に係脱可能な仮係止部５４と、軸筒１０周壁に掛止される第一の係止部５５及び第二の係止部５６とを一体に有する側面視略横向きＵ字状に形成される。
この操作部材５０は、被押圧片部５１と延設支持部５２との間が、前方へ向かって広がるように一体成型され（図６（ｂ）参照）、前記間を狭めるように弾性変形させて軸筒１０内に収納されている（図１参照）。
【００３３】
被押圧片部５１は、前後方向へわたる略矩形平板状の表部５１ａと、該表部の幅方向（図６（ａ）によれば上下方向）の両端から軸筒内側へ突出する側部５１ｂ，５１ｂとを有する横断面凹状に形成され、両側部５１ｂ，５１ｂの間には、係合部材４０に摺接させるための摺接突起５１ｃ，５１ｃが設けられる。各摺接突起５１ｃは、前方斜め径外方向へ傾く傾斜面を有する突起である。
【００３４】
表部５１ａの前部側には、筆記部を突出するための突出操作用被押圧部５１ａ１が設けられる。この突出操作用被押圧部５１ａ１は、指等により押圧された際の滑り止めとなるように、断面凹凸状に形成される。
突出操作用被押圧部５１ａ１の幅方向の中央側には、前後方向へ延びるスリット５１ａ２が設けられる（図６参照）。このスリット５１ａ２は、両側部５１ｂ，５１ｂの幅狭方向への弾性変形を容易にすることで、操作部材５０が軸筒径外方向側から軸筒１０内へ挿入される際の組付け性を向上している。
【００３５】
また、表部５１ａの後端寄りには、突出状態の筆記部を没入するための没入操作用被押圧部５１ａ３が設けられる。
没入操作用被押圧部５１ａ３は、図示例によれば、操作部材５０の後端部寄りに形成された凹曲面状の凹みである。この表部５１ａの他例として、突起や凹凸、単なる平坦面等とすることも可能である。
【００３６】
側部５１ｂは、表部５１ａの幅方向両端側からそれぞれ軸筒内側へ突出するとともに軸筒前後方向へ延びる略板状に形成される。
各側部５１ｂにおける外側面には、係止突起５１ｂ１が設けられる。
係止突起５１ｂ１は、図２（II）に示すように、軸筒内へ向かって楔状に傾斜する外側面を有し、操作部材５０が軸筒径方向に沿って軸筒内へ挿入される際に、操作部材用貫通孔１１の内縁を乗越えてその内側に係止される。
【００３７】
また、延設支持部５２は、被押圧片部５１に対し、軸筒径方向に間隔を置くとともに、操作部材５０の幅方向へ間隔を置いて二つ設けられる（図６及び図２（III）参照）。
各延設支持部５２は、後述する接続部５３から前方へ突出し延設され、図示例によれば、被押圧片部５１の約半分の長さを有する。
【００３８】
接続部５３は、被押圧片部５１の後端側と各延設支持部５２の後端側とを接続する部分である。
【００３９】
また、仮係止部５４は、被押圧片部５１の裏側において、両側部５１ｂ，５１ｂの間で前方へ突出する帯板状に形成される。被押圧片部５１が軸筒内へ揺動した際、この仮係止部５４は、その突端部により、係合部材４０の被係止部４４を受ける（図８（ｂ）参照）。
【００４０】
また、第一の係止部５５は、被押圧片部５１の後端側を、軸筒径内方向へ凹ませた段部であり、操作部材５０が通常の後退位置にある際に、操作部材用貫通孔１１の後端内縁に当接する（図８（ａ）（ｂ）参照）。
そして、第二の係止部５６は、第一の係止部５５よりも後側で、さらに軸筒径内方向へ凹ませた段部であり、操作部材５０が前進した際に軸筒径外方向へ移動して、操作部材用貫通孔１１の後端内縁に当接する（図８（ｃ）参照）。
【００４１】
そして、操作部材５０は、被押圧片部５１を軸筒１０の操作部材用貫通孔１１（図５参照）に挿通して外部へ露出させた状態で、接続部５３及び延設支持部５２が軸筒１０内に保持される。
詳細に説明すれば、操作部材５０は、被押圧片部５１の前部側の係止突起５１ｂ１を軸筒内周面に当接させ（図２（II）参照）、第一の係止部５５を操作部材用貫通孔１１の後端内縁に係止し、延設支持部５２の前端側を、軸筒径方向における反対側で軸筒内周面に当接させて保持される。
【００４２】
また、付勢部材６０は、圧縮コイルバネであり、その前端部を先口２０内に当接するとともに、後端部を、係合部材４０の保持部４１内に挿入し、該保持部４１内の段部に当接させて、係合部材４０及びリフィール３０を後方へ付勢している。
この付勢部材６０の他例としては、係合部材４０及びリフィール３０を後方へ引っ張るバネや、板バネ等の他の付勢部材とすることも可能である。
【００４３】
クリップ７０は、図１に示すように、軸筒外周面に沿って前後方向へわたるクリップ本体７１と、該クリップ本体７１の後端寄りから軸筒内側へ突出するクリップ支持部７２とを一体的に具備し、クリップ支持部７２を、軸筒１０周壁のクリップ用貫通孔１２に挿通させて、該周壁の内面よりも内側で回転可能に支持しており、クリップ本体７１後部側の開閉操作部７１ｂが押圧操作されることで、クリップ本体７１前端側の当接部７１ａ（玉部と称される場合もある）と、軸筒１０外周のクリップ没入部１３との間を開放する。
【００４４】
また、弾発部材８０は、図示例によれば、圧縮コイルバネであり、その一端部をクリップ本体７１の開閉操作部７１ｂの裏面に当接させるとともに、その他端部を軸筒１０内における周壁内面に当接させて、開閉操作部７１ｂと軸筒１０との間を拡げる方向へ弾発する。
【００４５】
次に、上記構成のサイドノック式筆記具について、製造手順の一例を説明する。
軸筒１０に対しクリップ７０を装着する際には、クリップ７０の開閉操作部７１ｂ裏面側に、予め弾発部材８０が装着される。そして、クリップ７０は、図１に示すように、軸筒１０のクリップ用貫通孔１２に対し、径外方向側から挿入され、軸筒１０内で支持される。
【００４６】
また、軸筒１０内にリフィール３０及び係合部材４０等を装着する際には、リフィール３０に対し係合部材４０及び付勢部材６０が予め嵌め合せられ、これらが、軸筒１０の前端開口部から内部へ挿入され、軸筒１０前端に先口２０が螺合接続される。
軸筒１０内にて、係合部材４０は、軸筒前後方向へわたる被ガイド部４５（図７（ｂ）参照）を、軸筒１０内周面のガイド凹部１６ｂに嵌め合せる（図２〜図４参照）。
【００４７】
なお、前記手順において、付勢部材６０は、リフィール３０及び係合部材４０を軸筒１０内へ挿入した後で、係合部材４０に装着するようにしてもよい。
また、軸筒１０内にリフィール３０及び係合部材４０等を装着する作業は、上述したクリップ７０の装着作業の前とすることも可能である。
【００４８】
そして、軸筒１０に操作部材５０が装着される。操作部材５０は、図１に示すように、軸筒径外方向側から、延設支持部５２が操作部材用貫通孔１１内へ挿入される。この際、両側部５１ｂ，５１ｂが径内方向へ撓むようにして、両係止突起５１ｂ１，５１ｂ１が操作部材用貫通孔１１内縁を乗越える。そして、操作部材５０の両係止突起５１ｂ１，５１ｂ１は、図２（II）に示すように、軸筒１０内側から操作部材用貫通孔１１の内縁に係止され、上述したように延設支持部５２及び接続部５３が軸筒１０内に保持される。
【００４９】
次に、完成後のサイドノック式筆記具Ａについて、その特徴的な作用効果を詳細に説明する。
図８（ａ）（ｂ）に示すように、操作部材５０の被押圧片部５１の前側が、軸筒内側へ押圧されると、その押圧力により被押圧片部５１が軸筒内側へ揺動する。この際、被押圧片部５１と延設支持部５２の間が弾性的に狭まる（図８（ｂ）参照）。
すると、係合部材４０の被摺接面４１ａが、軸筒内側へ揺動する被押圧片部５１の摺接突起５１ｃの傾斜面に摺接されることで、係合部材４０及びリフィール３０が前進し、リフィール３０前端の筆記部が、先口２０前端から突出し、仮係止部５４の突端と被係止部４４とが軸筒軸方向へ当接し合う（図８（ｂ）参照）。
この状態は、被押圧片部５１に指等によって加えられる比較的軽い押圧力、および仮係止部５４と被係止部４４の当接により保持される。
【００５０】
また、この状態から、筆記部を没入させる際には、被押圧片部５１に対する押圧力を緩めれば、被押圧片部５１が係合部材４０に摺接されて元の状態に復帰し、これに伴って、仮係止部５４が被係止部４４から軸筒径外方向へ離脱する。
よって、筆記部（リフィール３０前端）の突出状態を、被押圧片部５１を軽く指で押さえる押圧力により保持でき、また、この押圧力を緩めれば筆記部を速やかに没入させることができ、ひいては、筆記する時だけ筆記部を突出させ、不使用時には筆記部を常に没入させることができる。
【００５１】
また、前記のように被係止部４４を押し込んだ状態（図８（ｂ）参照）で前進させれば、被押圧片部５１後方側の第二の係止部５６が軸筒内周面に係止されて（図８（ｃ）参照）、筆記部の突出状態を維持することができる。
詳細に説明すれば、図８（ｂ）に示す状態のまま操作部材５０を前進させれば、被押圧片部５１前端側が操作部材用貫通孔１１前端縁の内側にもぐり込む。一方、被押圧片部５１の後部側は、被押圧片部５１と延設支持部５２の間の広がり方向の弾発力（言い換えれば、弾性的な復元力）により、軸筒径外方向へ移動して、第二の係止部５６を操作部材用貫通孔１１後端縁に係止させる。
よって、この状態では、被押圧片部５１から指を離す等して、被押圧片部５１に対する押圧力を解除した場合でも、筆記部（リフィール３０前端）の突出状態を維持することができる。
そして、この状態から筆記部を没入させるには、被押圧片部５１後端側を指等により軸筒内側へ押圧すれば、第二の係止部５６が操作部材用貫通孔１１の後端縁から軸筒径内方向へ外れて、操作部材５０が付勢部材６０の付勢力により後退し、同時に係合部材４０及びリフィール３０も後退して、リフィール３０前端の筆記部が没入する。この没入状態は、被押圧片部５１後端の第一の係止部５５が操作部材用貫通孔１１の後端縁に係止されて保持される。
【００５２】
また、リフィール３０前端から鉛芯を繰出す場合には、被押圧片部５１の前端を操作部材用貫通孔１１前端縁の内側に潜り込ませるとともに第二の係止部５６を操作部材用貫通孔１１の後端縁に係止した状態（図９（ａ）参照）から、この操作部材５０を、図９（ｂ）に示すように、さらに前進させれば、リフィール３０前端側の繰出機構部３１がリフィール３０内の段部に係止され前進不能になるとともに、後方側の芯タンク３２が前進するため、繰出機構部３１が作動して、リフィール３０前端から鉛芯が繰り出される。
そして、操作部材５０から前記前進方向の力が除去された際には、操作部材５０、係合部材４０及びリフィール３０は、付勢部材６０の付勢力により後退し、第二の係止部５６を操作部材用貫通孔１１の後端内縁に係止した状態（図９（ｂ）参照）に戻る。この際、繰出機構部３１内では、繰出機構部３１と共に後退するチャック（図示せず）により鉛芯が後退不能に挟持される。
【００５３】
なお、上記実施例では、特に好ましい態様として、被押圧片部５１と延設支持部５２の間が前方へ向かって広がるように操作部材５０を成型したが、他例としては、これらの間を略平行にして操作部材５０を成型した態様とすることも可能である。
【００５４】
また、上記実施例によれば、シャープペンシル用のリフィール３０を装着した態様としたが、他例としては、リフィール３０をボールペン用リフィールに置換して、当該サイドノック式筆記具Ａをボールペンとして用いることも可能である。
【００５５】
次に、本発明に係る他の実施例について説明する。なお、以下に示す実施例は、上記実施例の一部を変更したものであるため、主にその変更部分について詳述し、重複する詳細説明は省略する。
【００５６】
図１０に示すサイドノック式筆記具Ｂは、軸筒１０’と、該軸筒１０’の前端に接続された先口２０’と、軸筒１０’内で進退するように設けられたリフィール３０’と、該リフィール３０’に固定された係合部材４０’と、軸筒１０’の前側でリフィール３０’を進退操作可能な操作部材５０’と、リフィール３０’及び係合部材４０’を後方へ付勢する付勢部材６０とを備える。
【００５７】
軸筒１０’は、長尺筒状（図示例によえば長尺円筒状）に形成され、その前端側の開口部に先口２０’を接続している。
軸筒１０’の周壁の前側と後側には、図１０に示すように、操作部材５０’を径方向へ貫通させるための操作部材用貫通孔１１’が設けられる。
この軸筒１０’において、操作部材用貫通孔１１’に対し軸筒径方向の逆側の内周面には、上記軸筒１０と略同様にして、係合部材４０’を前後方向へ案内する溝や突起等が設けられる。
【００５８】
また、先口２０’は、先窄み円錐筒状に形成され、軸筒１０’の前端側に螺合接続され、リフィール３０’の前端側を進退可能に挿通する。この先口２０’内の段部には、付勢部材６０（圧縮コイルバネ）の前端部が受けられる。
【００５９】
リフィール３０’は、インクを充填した円筒状のインクタンクと、該インクタンクの前端に圧入接続された筆記部（具体的にはボールペンチップ）とからなるボールペン用リフィールである。
このリフィール３０’は、軸筒１０’内で、係合部材４０’と一体的に進退するように、該係合部材４０’内に挿入され着脱可能に接続されている。
【００６０】
また、係合部材４０’は、リフィール３０’と一体的に進退可能な部位であり、図１２に示すように、リフィール３０’の前後方向の途中箇所を保持する保持部４１’と、該保持部４１’から後方へ延設された接続部４２’と、該接続部４２’の後端に接続されてリフィール３０’の後端部に着脱可能に圧入固定される圧入部４３’と、保持部４１’よりも後側で操作部材５０’の仮係止部５４’（図１１参照）に当接される被係止部４４’と、軸筒１０’内周面の溝又は凹部等に嵌り合う被ガイド部４５’とを有し、可撓性を有する合成樹脂材料から一体に成型されている。なお、鉛芯の消耗に伴ってリフィール３０’を交換する際には、この係合部材４０’からリフィール３０’が外される。
【００６１】
保持部４１’は、リフィール３０’を挿通するとともに、操作部材５０’が軸筒径内方向へ撓んだ際に該操作部材５０’の被押圧片部５１’に摺接される部材である。この保持部４１’は、図示例によれば、略円筒状に形成され、その後端側の外周部に、操作部材５０’の内面に摺接されて前方へ押し動かされる被摺接面４１ａ’を有する。被摺接面４１ａ’は、操作部材５０’の摺接突起５１ｃ’（図１１参照）を受ける。
【００６２】
接続部４２’は、軸筒１０’内周面における反リフィール３０’側の部分に沿って後方へ延設された長尺状に形成され、その後端に圧入部４３’を接続している（図１２参照）。
【００６３】
被係止部４４’は、接続部４２’から幅広方向（図１２（ａ）によれば上下方向）へ突出するようにした平面視略三角形状の突起であり、後方斜め幅広方向へ向かう傾斜面と、この傾斜面の後端に接続された当接面とを有する。前記当接面は、仮係止部５４’に対し当接させるための面であり、軸筒軸方向に対し略直交するように形成されている。この被係止部４４’は、接続部４２’の幅方向の両側に二つ設けられる。
【００６４】
また、接続部４２’において、二つの被係止部４４’，４４’の間には、単数もしくは複数（図示例によれば二つ）のスリット４６’が設けられる。このスリット４６’は、接続部４２’を前後方向へわたって貫通しており、操作部材５０’の仮係止部５４’が被係止部４４’の傾斜面を乗越えるようにして係止される際に、接続部４２’を幅狭方向へ弾性変形させてその乗越えを容易にする。
【００６５】
操作部材５０’は、図１１に示すように、前端側を自由端とする片持ち状に前方へ延設された被押圧片部５１’と、被押圧片部５１’に対し軸筒径方向の反対側（図１１（ｂ）によれば下方側）に間隔を置きながら前方へ延設された延設支持部５２’と、これら被押圧片部５１’と延設支持部５２’とをこれらの後端側で接続する接続部５３’と、係合部材４０’の被係止部４４’に係脱可能な仮係止部５４’とを一体に有する側面視略横向きＵ字状に形成される。
この操作部材５０’は、被押圧片部５１’と延設支持部５２’との間が、前方へ向かって広がるように一体成型され（図１１（ｂ）参照）、前記間を狭めるように弾性変形させて軸筒１０’内に収納されている（図１０参照）。
【００６６】
被押圧片部５１’は、横断面凹状に形成され、その両側部の間には、係合部材４０’に摺接させるための摺接突起５１ｃ’が設けられる。この摺接突起５１ｃ’は、前方斜め径外方向へ傾く傾斜面を有する突起である。
【００６７】
被押圧片部５１’の幅方向の中央側には、前後方向へ延びるスリット５１ａ’が設けられる（図１１（ａ）参照）。このスリット５１ａ’は、被押圧片部５１’の幅狭方向への弾性変形を容易にすることで、操作部材５０’が軸筒径外方向側から軸筒１０’内へ挿入された際の組付け性を向上している。
【００６８】
被押圧片部５１’の両側面には、係止突起５１ｂ１’，５１ｂ１’が設けられる。
係止突起５１ｂ１’は、操作部材５０’が軸筒径方向に沿って軸筒内へ挿入される際に、操作部材用貫通孔１１’の内縁を乗越えてその内側に係止される。
【００６９】
また、仮係止部５４’は、摺接突起５１ｃ’よりも後側において、被押圧片部５１’の裏面から軸筒径内方向へ突出する側面視凸状の突起であり、その前端面を、係合部材４０’の被係止部４４’を受けるための当接面としている。
【００７０】
次に、上記サイドノック式筆記具Ｂについて、その特徴的な作用効果を詳細に説明する。
図１０に示すように、操作部材５０’の被押圧片部５１’の前側が、軸筒内側へ押圧されると、その押圧力により被押圧片部５１’が軸筒内側へ揺動する。この際、被押圧片部５１’と延設支持部５２’の間が弾性的に狭まる。
すると、係合部材４０’の被摺接面４１ａ’が、軸筒内側へ揺動する被押圧片部５１’の摺接突起５１ｃ’の傾斜面に摺接されることで、係合部材４０’及びリフィール３０’が前進し、リフィール３０’前端の筆記部が、先口２０’前端から突出し、また、仮係止部５４’が被係止部４４’の傾斜面（図１２（ａ）参照）を乗越えるようにして相対的に被係止部４４’の後側へ移動し、仮係止部５４’と被係止部４４’とが軸筒軸方向へ当接し合う（図１０（ｂ）参照）。
この状態は、被押圧片部５１’に指等によって加えられる比較的軽い押圧力、および仮係止部５４’と被係止部４４’の当接により保持される。
【００７１】
また、この状態から、筆記部を没入させる際には、被押圧片部５１’に対する押圧力を緩めれば、被押圧片部５１’が係合部材４０’に摺接されて元の状態に復帰し、これに伴って、仮係止部５４’が被係止部４４’から軸筒径外方向へ離脱する。
よって、筆記部（リフィール３０’前端）の突出状態を、被押圧片部５１’を軽く指で押さえる押圧力により保持でき、また、この押圧力を緩めれば筆記部を速やかに没入させることができ、ひいては、筆記する時だけ筆記部を突出させ、不使用時には筆記部を常に没入させることができる。
【００７２】
なお、サイドノック式筆記具Ｂについては、被押圧片部５１’の没入状態を保持する構成を設けなかったが、上記サイドノック式筆記具Ａと略同様の構成によって、被押圧片部５１’の没入状態を保持可能にしたり、シャープペンシル用リフィールから鉛芯を繰出せる構成にしたり等することも可能である。
【００７３】
また、サイドノック式筆記具Ｂについて、軸筒１０’の後端側を延設し、サイドノック式筆記具Ａのものと同様のクリップ７０を装着することも可能である。
【符号の説明】
【００７４】
１０，１０’：軸筒                    １１，１１’：操作部材用貫通孔
１２：クリップ用貫通孔                １３：クリップ没入部
３０，３０’：リフィール              ３１：繰出機構部
３２：芯タンク                        ４０：係合部材
４１，４１’：保持部                  ４１ａ，４１ａ’：被摺接面
４２，４２’：接続部                  ４３，４３’：圧入部
４４，４４’：被係止部                ５０，５０’：操作部材
５１，５１’：被押圧片部              ５１ｂ１，５１ｂ１’：係止突起
５２，５２’：延設支持部              ５３，５３’：接続部
５４，５４’：仮係止部                ５５：第一の係止部
５６：第二の係止部
【図１】
2015089677.tif 000003
【図２】
2015089677.tif 000004
【図３】
2015089677.tif 000005
【図４】
2015089677.tif 000006
【図５】
2015089677.tif 000007
【図６】
2015089677.tif 000008
【図７】
2015089677.tif 000009
【図８】
2015089677.tif 000010
【図９】
2015089677.tif 000011
【図１０】
2015089677.tif 000012
【図１１】
2015089677.tif 000013
【図１２】
2015089677.tif 000014